(57)【要約】【課題】一つの表示プレートで複数種類の表示を選択して表示可能である内装部品への表示プレートの取付構造を提供する。【解決手段】本取付構造１は、開口２Ａを有する内装部品２と、開口に嵌め込むための表示プレート３と、内装部品に固定され、表示プレートを取り付けるための取付部材４と、を備えた内装部品への表示プレートの取付構造であって、表示プレートは複数の表示面３Ａ，３Ｂを有しており、表示プレート及び取付部材のうち、一方は軸部５を備えており、他方は軸部を受ける受け部６を備えており、受け部には、軸部を受ける複数の軸受け位置６Ａ，６Ｂが設定されており、複数の軸受け位置のうち、一つの軸受け位置では軸部と受け部とが回動可能とされていることを特徴とする。【選択図】図２
2011235712.tif 000002
【特許請求の範囲】
【請求項１】
開口を有する内装部品と、
前記開口に嵌め込むための表示プレートと、
前記内装部品に固定され、前記表示プレートを取り付けるための取付部材と、を備えた内装部品への表示プレートの取付構造であって、
前記表示プレートは複数の表示面を有しており、
前記表示プレート及び前記取付部材のうち、一方は軸部を備えており、他方は前記軸部を受ける受け部を備えており、
前記受け部には、前記軸部を受ける複数の軸受け位置が設定されており、前記複数の軸受け位置のうち、一つの軸受け位置では前記軸部と前記受け部とが回動可能とされていることを特徴とする内装部品への表示プレートの取付構造。
【請求項２】
前記受け部は、前記軸受け位置において前記軸部を挟持している請求項１記載の内装部品への表示プレートの取付構造。
【請求項３】
前記表示プレートには突状部が設けられており、
前記取付部材には前記突状部と係合してロック可能なロック部が設けられている請求項１又は２記載の内装部品への表示プレートの取付構造。
【発明の詳細な説明】
【技術分野】
【０００１】
本発明は、車両の内装部品への表示プレートの取付構造に関する。更に詳しくは、一つの表示プレートで複数種類の表示を選択して表示可能である内装部品への表示プレートの取付構造に関する。
【背景技術】
【０００２】
従来より、スピーカーグリルやインストルメントパネル等の車両用内装部品に、社名やブランド名等を表示するための表示プレートを取り付けることが行われている。この場合、表示プレートは、接着剤や両面テープ等により内装部品表面に貼付けたり、表示プレート側に設けた棒状の係止部材を内装部品の孔部に挿通したり（例えば、特許文献１参照）、内装部品に設けた開口内に表示プレートを嵌着したり（例えば、特許文献２参照）等により取り付けることが行われている。
【先行技術文献】
【特許文献】
【０００３】
【特許文献１】特開２００４−１７８７１号公報
【特許文献２】実開平０６−９２９２号公報
【発明の概要】
【発明が解決しようとする課題】
【０００４】
しかしながら、内装部品への表示プレートの取り付けでは、同じ種類の内装部品に取り付ける場合であっても、車種やグレードの違い等によって異なる種類の表示プレートを取り付けることがある。この場合、作業者により、複数種類の表示プレートの中から取り付けるべき表示プレート選択して取り付ける必要があり、取付作業が煩雑であった。
【０００５】
本発明は、上記実情に鑑みてなされたものであり、一つの表示プレートで複数種類の表示を選択して表示可能である内装部品への表示プレートの取付構造を提供することを目的とする。
【課題を解決するための手段】
【０００６】
上記問題点を解決するために、請求項１に記載の発明は、開口を有する内装部品と、開口に嵌め込むための表示プレートと、内装部品に固定され、表示プレートを取り付けるための取付部材と、を備えた内装部品への表示プレートの取付構造であって、
表示プレートは複数の表示面を有しており、表示プレート及び取付部材のうち、一方は軸部を備えており、他方は軸部を受ける受け部を備えており、受け部には、軸部を受ける複数の軸受け位置が設定されており、複数の軸受け位置のうち、一つの軸受け位置では軸部と受け部とが回動可能とされていることを要旨とする。
【０００７】
請求項２に記載の発明は、請求項１において、前記受け部が前記軸受け位置において前記軸部を挟持していることを要旨とする。
【０００８】
請求項３に記載の発明は、請求項１又は２において、前記表示プレートには突状部が設けられており、前記取付部材には前記突状部と係合してロック可能なロック部が設けられていることを要旨とする。
【発明の効果】
【０００９】
本発明の内装部品への表示プレートの取付構造によると、開口を有する内装部品と、開口に嵌め込むための表示プレートと、内装部品に固定され、表示プレートを取り付けるための取付部材と、を備えた内装部品への表示プレートの取付構造であって、表示プレートは複数の表示面を有しており、表示プレート及び取付部材のうち、一方は軸部を備えており、他方は軸部を受ける受け部を備えており、受け部には、軸部を受ける複数の軸受け位置が設定されており、複数の軸受け位置のうち、一つの軸受け位置では軸部と受け部とが回動可能とされている。このような構成により、一つの表示プレートで複数種類の表示を簡易に選択して表示することができる。また、従来のように複数種類の表示プレートを用意する必要がなく、部品点数を削減することができる。
【００１０】
また、前記受け部が、前記軸受け位置において前記軸部を挟持している場合は、受け部により軸部を容易に支持することができる。その結果、より簡易に複数種類の表示を選択して表示することができる。
【００１１】
更に、前記表示プレートには突状部が設けられており、前記取付部材には前記突状部と係合してロック可能なロック部が設けられている場合は、回動させた表示プレートを確実に固定することができる。また、突状部の指向状態によってどの表示面が表示されているのかを認識することができる。その結果、表示面の誤表示を軽減できる。
【図面の簡単な説明】
【００１２】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１〜４に係る内装部品への表示プレートの取付構造の概略を示す図である。
【図２】実施例１に係る内装部品への表示プレートの取付構造の概略を示す斜視図である。
【図３】実施例１に係る軸部及び受け部を示す側面図である。
【図４】実施例１に係る内装部品への表示プレートの取付構造の作用を説明するための説明図である。
【図５】実施例１に係る内装部品への表示プレートの取付構造の作用を説明するための説明図である。
【図６】実施例１に係る内装部品への表示プレートの取付構造の作用を説明するための説明図である。
【図７】実施例１に係る内装部品への表示プレートの取付構造の作用を説明するための説明図である。
【図８】実施例１に係る内装部品への表示プレートの取付構造の作用を説明するための説明図である。
【図９】実施例１に係る内装部品への表示プレートの取付構造の作用を説明するための説明図である。
【図１０】実施例２に係る内装部品への表示プレートの取付構造の概略を示す斜視図である。
【図１１】実施例２に係る内装部品への表示プレートの取付構造の作用を説明するための説明図である。
【図１２】実施例２に係る内装部品への表示プレートの取付構造の作用を説明するための説明図である。
【図１３】実施例２に係る内装部品への表示プレートの取付構造の作用を説明するための説明図である。
【図１４】実施例２に係る内装部品への表示プレートの取付構造の作用を説明するための説明図である。
【図１５】実施例３に係る内装部品への表示プレートの取付構造の概略を示す斜視図である。
【図１６】実施例３に係る内装部品への表示プレートの取付構造の作用を説明するための説明図である。
【図１７】実施例３に係る内装部品への表示プレートの取付構造の作用を説明するための説明図である。
【図１８】実施例３に係る内装部品への表示プレートの取付構造の作用を説明するための説明図である。
【図１９】実施例４に係る内装部品への表示プレートの取付構造の概略を示す斜視図である。
【図２０】実施例４に係る内装部品への表示プレートの取付構造の作用を説明するための説明図である。
【図２１】実施例４に係る内装部品への表示プレートの取付構造の作用を説明するための説明図である。
【図２２】実施例４に係る内装部品への表示プレートの取付構造の作用を説明するための説明図である。
【発明を実施するための形態】
【００１３】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１４】
１．内装部品への表示プレートの取付構造
本実施形態に係る内装部品への表示プレートの取付構造は、開口を有する内装部品と、開口に嵌め込むための表示プレートと、内装部品に固定され、表示プレートを取り付けるための取付部材と、を備えた内装部品への表示プレートの取付構造であって、
表示プレートは複数の表示面を有しており、表示プレート及び取付部材のうち、一方は軸部を備えており、他方は軸部を受ける受け部を備えており、受け部には、軸部を受ける複数の軸受け位置が設定されており、複数の軸受け位置のうち、一つの軸受け位置では軸部と受け部とが回動可能とされていることを特徴とする。
【００１５】
上記「内装部品」の構造、形状、大きさ、材質等は特に問わない。この内装部品としては、例えば、スピーカーグリル（例えば、図１等参照）、ドアトリム、インストルメントパネル、ルーフトリム、デッキボード等を挙げることができる。
【００１６】
上記「表示プレート」の構造、形状、大きさ、材質等は特に問わない。表示プレートは複数の表示面を有しているが、それら表示面に表示される表示は特に問わない。この表示としては、例えば、車両や車両部品、車両用音響機器等の製造会社名やブランド名等、また、車両、車両部品、車両用音響機器等の名称やグレード等の文字や文字列、更に、これらを示すロゴタイプや記号、図形パターン等を挙げることができる。また、これらに換えて、表示プレートが取り付けられる内装部品の意匠面と同様の意匠を有する表示面を表示するようにしてもよい。
上記表示プレートは、例えば、略三角柱、略四角柱、略五角柱等の略多角柱形状に形成されていることができる。この場合、表示プレートは、複数の表示面として、多角柱の側面のうちの少なくとも２面が表示面とされている形態であることができる（例えば、図２、１０等参照）。
【００１７】
上記「取付部材」の構造、形状、大きさ、材質等は特に問わない。この取付部材は、上記内装部品と一体に形成されていてもよいし、別体に設けて上記内装部品に取り付けるようにしてもよい。
【００１８】
上記「軸部」の構造、形状、大きさ、材質、個数等は特に問わない。この軸部は、上述のように、表示プレート又は取付部材に備えられている。
上記「受け部」の構造、形状、大きさ、材質、個数等は特に問わない。この受け部は、上述のように、表示プレート又は取付部材に備えられている。また、この受け部には、上記軸部を受ける複数の軸受け位置が設定されており、これら複数の軸受け位置のうち、一つの軸受け位置では軸部と受け部とが回動可能とされている（例えば、図５、１２等参照）。即ち、一つの軸受け位置に軸部を位置させることにより表示プレートを回動させて表示面を選択することができ、他の軸受け位置に軸部を位置させることにより表示プレートが上記開口に嵌め込まれて回動不能となり、固定状態となる。
【００１９】
また、上記受け部による上記軸部の支持形態は特に限定されないが、例えば、上記受け部が上記軸受け位置において上記軸部を挟持している形態であることができる。この場合、軸部の直径ｄとしては、例えば、２．５〜４ｍｍであることができ、好ましくは２．５〜３．５ｍｍ、更に好ましくは２．５〜３ｍｍであることができる（例えば、図３参照）。また、軸部と受け部とが回動可能な軸受け位置の内径Ｄ１は、例えば、３．５〜５ｍｍであることができ、好ましくは３．５〜４．５ｍｍ、更に好ましくは３．５〜４ｍｍであることができる（例えば、図３参照）。更に、軸部と受け部とが回動不能な軸受け位置の内径Ｄ２としては、例えば、３〜４．５ｍｍであることができ、好ましくは３〜４ｍｍ、更に好ましくは３〜３．５ｍｍであることができる（例えば、図３参照）。
【００２０】
ここで、本実施形態における内装部品への表示プレートの取付構造では、例えば、上記表示プレートには突状部が設けられており、上記取付部材には突状部と係合してロック可能なロック部が設けられていることができる。
【実施例】
【００２１】
以下、図面を用いて、実施例１〜４により本発明を更に具体的に説明する。尚、本実施例１〜４に係る内装部品への表示プレートの取付構造では、図１に示すように、車両のドアに取り付けられたスピーカーグリル２（本発明に係る内装部品として例示する）へ表示プレート３を取り付ける場合の内装部品への表示プレートの取付構造１，２１，３１，４１を例示する。
【００２２】
＜実施例１＞
（１）内装部品への表示プレートの取付構造の構成
本実施例１に係る内装部品への表示プレートの取付構造１は、図２に示すように、開口２Ａを有するスピーカーグリル２と、開口２Ａに嵌め込むための表示プレート３と、スピーカーグリル２に固定され、表示プレート３を取り付けるための取付部材４と、を備えている。
【００２３】
表示プレート３は、図２に示すように、略矩形柱状であり、その側面のうちの表裏一対となる２面に表示面３Ａ，３Ｂを有している。各表示面３Ａ，３Ｂは、スピーカーグリル２に形成された開口２Ａと嵌合するように凸状となっているとともに、それぞれ異なった表示がされている。また、表示プレート３の両端面部には２つの軸部５がそれぞれ外側方向に延びるように設けられている。更に、表示プレート３の表示面３Ａ，３Ｂとは異なる側面の一つには突状部３Ｃが設けられている。この突状部３Ｃは、表示面３Ａ，３Ｂの中心を通る平面の位置から、表示プレート３を回動させる際の回転軸の軸方向にオフセットした位置に設けられている。
【００２４】
取付部材４は、開口２Ａを囲むように、スピーカーグリル２の意匠面の反対側の面に取り付けられている。また、図２に示すように、取付部材４は、表示プレート３の２つの軸部５をそれぞれ受ける２つの受け部６を備えている。各受け部６には、２つの軸受け位置６Ａ，６Ｂが設定されており、各軸受け位置６Ａ，６Ｂにおいて軸部５を挟持可能となっている。この受け部６において、一方の軸受け位置６Ａは表示プレート３の仮止め位置であり、他方の軸受け位置６Ｂは表示プレート３の本止め位置となる。即ち、２つの軸受け位置６Ａ，６Ｂのうち、スピーカーグリル２から離れた位置である軸受け位置６Ａに軸部５がある場合には、表示プレート３は、これら２つの軸部５を回転軸として、スピーカーグリル２と干渉することなく回動可能である。また、スピーカーグリル２に近い位置である軸受け位置６Ｂに軸部５がある場合には、表示プレート３が開口２Ａに嵌め込まれて回動不能となり、固定される。
【００２５】
ここで、本実施例１においては、図３に示すように、軸部５の直径ｄ、受け部６の軸受け位置６Ａ（軸部が回動可能な位置）における内径Ｄ１及び受け部６の軸受け位置６Ｂ（軸部が回動不能な位置）における内径Ｄ２は、それぞれ、約３ｍｍ、約４ｍｍ及び約３．５ｍｍに設定されている。
【００２６】
また、図２に示すように、取付部材４には、突状部３Ｃと係合してロック可能な２つのロック部４Ａ，４Ｂが設けられている。突状部３Ｃは軸部５が軸受け位置６Ｂにある場合にロック部４Ａ又は４Ｂと係合可能となっている。そして、突状部３Ｃがロック部４Ａと係合する場合には表示面３Ａが表示され、ロック部４Ｂと係合する場合には表示面３Ｂが表示されるようになっている。
【００２７】
（２）内装部品への表示プレートの取付構造の作用
次に、上記構成の内装部品への表示プレートの取付構造１の作用について説明する。
まず、図４に示すように、表示プレート３を取付部材４に取り付ける。このとき、受け部６の軸受け位置６Ａにおいて軸部５を挟持させておく。次に、図５に示すように、表示面３Ａ，３Ｂのうちの表示すべき表示面がスピーカーグリル２側に向くように表示プレート３を回動させる。
【００２８】
表示面３Ａを表示する場合には、表示プレート３を回動させて表示面３Ａをスピーカーグリル２側に向ける（図６）。その後、軸部５が軸受け位置６Ｂに位置するように表示プレート３をスピーカーグリル２側に押し込む（図７）。すると、表示プレート３が開口２Ａに嵌め込まれ、スピーカーグリル２の意匠面側に表示面３Ａが露出する。これにより、スピーカーグリル２の意匠面に表示面３Ａが表示された状態となる。また、このとき、突状部３Ｃはロック部４Ａと係合しており、これにより表示プレート３はロックされた状態となる。
【００２９】
一方、表示面３Ｂを表示する場合には、表示プレート３を回動させて表示面３Ｂをスピーカーグリル２側に向ける（図８）。その後、軸部５が軸受け位置６Ｂに位置するように表示プレート３をスピーカーグリル２側に押し込む（図９）。すると、表示プレート３が開口２Ａに嵌め込まれ、スピーカーグリル２の意匠面側に表示面３Ｂが露出する。これにより、スピーカーグリル２の意匠面に表示面３Ｂが表示された状態となる。また、このとき、突状部３Ｃはロック部４Ｂと係合しており、これにより表示プレート３はロックされた状態となる。
【００３０】
（３）実施例の効果
【００３１】
以上より、本実施例１の内装部品への表示プレートの取付構造１では、開口２Ａを有するスピーカーグリル２と、開口２Ａに嵌め込むための表示プレート３と、スピーカーグリル２に固定され、表示プレート３を取り付けるための取付部材４と、を備えた内装部品への表示プレートの取付構造であって、表示プレート３は２つの表示面３Ａ，３Ｂを有しており、表示プレート３は軸部５を備えており、取付部材４は軸部５を受ける受け部６を備えており、受け部６には、軸部５を受ける２つの軸受け位置６Ａ，６Ｂが設定されており、２つの軸受け位置６Ａ，６Ｂのうち、軸受け位置６Ａでは軸部５と受け部６とが回動可能とされている。このような構成により、一つの表示プレートで複数種類の表示を簡易に選択して表示することができる。この結果、従来のように複数種類の表示プレートを用意する必要がなく、部品点数を削減することができる。
【００３２】
また、受け部６が、軸受け位置６Ａ，６Ｂにおいて軸部５を挟持しているので、受け部６により軸部５を容易に支持することができる。その結果、より簡易に複数種類の表示を選択して表示することができる。
【００３３】
更に、表示プレート３には突状部３Ｃが設けられており、取付部材４には突状部３Ｃと係合してロック可能なロック部４Ａ，４Ｂが設けられているので、回動させた表示プレート３を確実に固定することができる。また、突状部３Ｃの指向状態によってどの表示面が表示されているのかを認識することができる。その結果、誤った表示面を表示してしまうことを低減できる。
【００３４】
また、突状部３Ｃは、表示面３Ａ，３Ｂの中心を通る平面の位置から、表示プレート３を回動させる際の回転軸の軸方向にオフセットした位置に設けられているので、表示プレート３を取付部材４に取り付ける際の誤取り付けを防止することができる。
【００３５】
＜実施例２＞
（１）内装部品への表示プレートの取付構造の構成
次に、実施例２に係る内装部品への表示プレートの取付構造について説明する。尚、本実施例２において、上記実施例１の内装部品への表示プレートの取付構造１と同じ構成部位には同符号を付けて詳説を省略し、以下に相違点について詳説する。
本実施例２に係る内装部品への表示プレートの取付構造２１は、図１０に示すように、開口２Ａを有するスピーカーグリル２と、開口２Ａに嵌め込むための表示プレート２３と、スピーカーグリル２に固定され、表示プレート２３を取り付けるための取付部材２４と、を備えている。
【００３６】
表示プレート２３は、図１０に示すように、略正方形柱状であり、その４つの側面に表示面２３Ａ，２３Ｂ，２３Ｃ，２３Ｄを有している。各表示面２３Ａ〜２３Ｄは、スピーカーグリル２に形成された開口２Ａと嵌合するように凸状となっているとともに、それぞれ異なった表示がされている。また、表示プレート２３は、上記実施例１の表示プレート３と同様の２つの軸部５を備えている一方、実施例１の表示プレート３とは異なり、突状部は設けられていない。
取付部材２４は、上記実施例１と同様に、スピーカーグリル２の意匠面の反対側の面に取り付けられている。また、取付部材２４は、上記実施例１の取付部材４と同様の２つの軸部５をそれぞれ受ける２つの受け部６を備えている一方、実施例１の取付部材４とは異なり、ロック部は設けられていない。
【００３７】
（２）内装部品への表示プレートの取付構造の作用
次に、上記構成の内装部品への表示プレートの取付構造２１の作用について説明する。
まず、図１１に示すように、表示プレート２３を取付部材２４に取り付ける。このとき、受け部６の軸受け位置６Ａにおいて軸部５を挟持させておく。次に、図１２に示すように、表示面２３Ａ〜２３Ｄのうちの表示すべき表示面がスピーカーグリル２側に向くように表示プレート２３を回動させる。一例として、表示面２３Ｂを表示する場合には、図１３に示すように、表示プレート２３を回動させて、表示面２３Ｂをスピーカーグリル２側に向ける。そして、軸部５が軸受け位置６Ｂに位置するように表示プレート２３をスピーカーグリル２側に押し込む（図１４）。すると、表示プレート２３が開口２Ａに嵌め込まれ、スピーカーグリル２の意匠面側に表示面２３Ｂが露出する。これにより、スピーカーグリル２の意匠面に表示面２３Ｂが表示された状態となる。
【００３８】
（３）実施例の効果
【００３９】
以上より、本実施例２の内装部品への表示プレートの取付構造２１によると、表示プレート２３が４つの表示面２３Ａ〜２３Ｄを有しているので、実施例１の内装部品への表示プレートの取付構造１よりも、より多くの種類の表示を簡易に選択して表示することができる。
【００４０】
また、上記実施例１と同様に、受け部６が軸受け位置６Ａ，６Ｂにおいて軸部５を挟持しているので、受け部６により軸部５を容易に支持することができる。その結果、より簡易に複数種類の表示を選択して表示することができる。
【００４１】
＜実施例３＞
（１）内装部品への表示プレートの取付構造の構成
次に、実施例３に係る内装部品への表示プレートの取付構造について説明する。尚、本実施例３において、上記実施例１の内装部品への表示プレートの取付構造１と同じ構成部位には同符号を付けて詳説を省略し、以下に相違点について詳説する。
【００４２】
本実施例３に係る内装部品への表示プレートの取付構造３１は、図１５に示すように、開口２Ａを有するスピーカーグリル２と、開口２Ａに嵌め込むための表示プレート３３と、スピーカーグリル２に固定され、表示プレート３３を取り付けるための取付部材３４と、を備えている。
【００４３】
本実施例３では、図１５に示すように、表示プレート３３は略正方形柱状であり、その側面のうちの表裏一対となる２面に表示面３３Ａ，３３Ｂを有している。各表示面３３Ａ，３３Ｂは、上記実施例１の表示面３Ａ，３Ｂと同様に、スピーカーグリル２に形成された開口２Ａと嵌合するように凸状となっているとともに、それぞれ異なった表示がされている。表示プレート３３の表示面３３Ａ，３３Ｂとは異なる側面の一つには突状部３３Ｃが設けられている。この突状部３３Ｃは、表示面３３Ａ，３３Ｂの中心を通る平面の位置から、表示プレート３３を回動させる際の回転軸の軸方向にオフセットした位置に設けられている。また、本実施例３に係る取付部材３４は、上記実施例１の取付部材３と同様に、スピーカーグリル２の意匠面の反対側の面に取り付けられている。
【００４４】
本実施例３に係る内装部品への表示プレートの取付構造では、図１５に示すように、取付部材３４に２つの軸部３５が設けられているとともに、表示プレート３３に２つの受け部３６が設けられている。
２つの軸部３５は、取付部材３４から立設するように設けられた２つの支柱部材３５Ａの先端側にそれぞれ設けられている。また、各軸部３５は各支柱部材３５Ａからそれぞれ内側方向に延びるように設けられている。
【００４５】
２つの受け部３６には、それぞれ３つの軸受け位置３６Ａ，３６Ｂ，３６Ｃが設定されており、各軸受け位置３６Ａ〜３６Ｃにおいて軸部３５を挟持可能となっている。この受け部３６において、軸受け位置３６Ａは表示プレート３３の仮止め位置であり、軸受け位置３６Ｂ，３６Ｃは表示プレート３３の本止め位置となる。即ち、３つの軸受け位置３６Ａ〜３６Ｃのうち、中央に位置する軸受け位置３６Ａに軸部３５がある場合には、表示プレート３３は、２つの軸部３５を回転軸としてスピーカーグリル２と干渉することなく回動可能である。また、軸受け位置３６Ｂ，３６Ｃに軸部３５がある場合には、表示プレート３３が開口２Ａに嵌め込まれて回動不能となり、固定される。
【００４６】
また、本実施例３では、軸部３５の直径、受け部３６の軸受け位置３６Ａ（軸部が回動可能な位置）における内径及び受け部３６の軸受け位置３６Ｂ，３６Ｃ（軸部が回動不能な位置）における内径は、上記実施例１と同様に、それぞれ約３ｍｍ、約４ｍｍ及び約３．５ｍｍに設定されている。
【００４７】
また、取付部材３４には、実施例１と同様に、突状部３３Ｃと係合してロック可能な２つのロック部３４Ａ，３４Ｂが設けられている。突状部３３Ｃは軸部３５が軸受け位置３６Ｂにある場合にロック部３４Ｂと係合可能であるとともに、軸部３５が軸受け位置３６Ｃにある場合にロック部３４Ａと係合可能となっている。そして、突状部３３Ｃがロック部３４Ａと係合する場合には表示面３３Ａが表示され、ロック部３４Ｂと係合する場合には表示面３３Ｂが表示されるようになっている。
【００４８】
（２）内装部品への表示プレートの取付構造の作用
次に、上記構成の内装部品への表示プレートの取付構造３１の作用について説明する。
まず、図１６に示すように、表示プレート３３を取付部材３４に取り付ける。このとき、受け部３６の軸受け位置３６Ａにおいて軸部３５を挟持させておく。尚、図１６において、軸受け位置３６Ｂ側から軸部３５を挟持させるようにしているが、軸受け位置３６Ｃ側から軸部３５を挟持させることも可能である。次に、表示面３３Ａ，３３Ｂのうちの表示すべき表示面がスピーカーグリル２側に向くように表示プレート３３を回動させる。
【００４９】
一例として、表示面３３Ａを表示する場合には、図１７に示すように、表示プレート３３を回動させて、表示面３３Ａをスピーカーグリル２側に向ける。そして、軸部３５が軸受け位置３６Ｃに位置するように表示プレート３３をスピーカーグリル２側に押し込む（図１８）。すると、表示プレート３３が開口２Ａに嵌め込まれ、スピーカーグリル２の意匠面側に表示面３３Ａが露出する。これにより、スピーカーグリル２の意匠面に表示面３３Ａが表示された状態となる。また、このとき、突状部３３Ｃはロック部３４Ａと係合しており、これにより表示プレート３３はロックされた状態となる。
【００５０】
（３）実施例の効果
【００５１】
以上より、本実施例３の内装部品への表示プレートの取付構造３１では、開口２Ａを有するスピーカーグリル２と、開口２Ａに嵌め込むための表示プレート３３と、スピーカーグリル２に固定され、表示プレート３３を取り付けるための取付部材３４と、を備えた内装部品への表示プレートの取付構造であって、表示プレート３３は２つの表示面３３Ａ，３３Ｂを有しており、取付部材３４は軸部３５を備えており、表示プレート３３は軸部３５を受ける受け部３６を備えており、受け部３６には、軸部３５を受ける３つの軸受け位置３６Ａ〜３６Ｃが設定されており、３つの軸受け位置３６Ａ〜３６Ｃのうち、軸受け位置３６Ａでは軸部３５と受け部３６とが回動可能とされている。このような構成により、一つの表示プレートで複数種類の表示を簡易に選択して表示することができる。この結果、従来のように複数種類の表示プレートを用意する必要がなく、部品点数を削減することができる。
【００５２】
また、受け部３６が、軸受け位置３６Ａ〜３６Ｃにおいて軸部３５を挟持しているので、受け部３６により軸部３５を容易に支持することができる。その結果、より簡易に複数種類の表示を選択して表示することができる。
【００５３】
更に、表示プレート３３には突状部３３Ｃが設けられており、取付部材３４には突状部３３Ｃと係合してロック可能なロック部３４Ａ，３４Ｂが設けられているので、回動させた表示プレート３３を確実に固定することができる。また、突状部３３Ｃの指向状態によってどの表示面が表示されているのかを認識することができる。その結果、誤った表示面を表示してしまうことを低減できる。
【００５４】
また、突状部３３Ｃは、表示面３３Ａ，３３Ｂの中心を通る平面の位置から、表示プレート３３を回動させる際の回転軸の軸方向にオフセットした位置に設けられているので、表示プレート３３を取付部材３４に取り付ける際の誤取り付けを防止することができる。
【００５５】
＜実施例４＞
（１）内装部品への表示プレートの取付構造の構成
次に、実施例４に係る内装部品への表示プレートの取付構造について説明する。尚、本実施例４において、上記実施例１及び３の内装部品への表示プレートの取付構造１，３１と同じ構成部位には同符号を付けて詳説を省略し、以下に相違点について詳説する。
【００５６】
本実施例４に係る内装部品への表示プレートの取付構造４１は、図１９に示すように、開口２Ａを有するスピーカーグリル２と、開口２Ａに嵌め込むための表示プレート４３と、スピーカーグリル２に固定され、表示プレート４３を取り付けるための取付部材４４と、を備えている。
【００５７】
表示プレート４３は、図１９に示すように、略正方形柱状であり、その４つの側面に表示面４３Ａ，４３Ｂ，４３Ｃ，４３Ｄを有している。各表示面４３Ａ〜４３Ｄは、スピーカーグリル２に形成された開口２Ａと嵌合するように凸状となっているとともに、それぞれ異なった表示がされている。また、本実施例４に係る表示プレート４３には、上記実施例１及び３とは異なり、突状部は設けられていない。
取付部材４４は、上記実施例１と同様に、スピーカーグリル２の意匠面の反対側の面に取り付けられている。また、本実施例４に係る取付部材４４には、上記実施例１及び３とは異なり、ロック部は設けられていない。
【００５８】
本実施例４に係る内装部品への表示プレートの取付構造では、上記実施例３と同様に、取付部材４４に２つの軸部３５が設けられている。また、本実施例４では、実施例３と同様に、２つの受け部４６が表示プレート４３に設けられているが、各受け部４６には、それぞれ５つの軸受け位置４６Ａ，４６Ｂ，４６Ｃ，４６Ｄ，４６Ｅが設定されている。
【００５９】
各受け部４６は、各軸受け位置４６Ａ〜４６Ｅにおいて軸部３５を挟持可能となっている。この受け部４６において、軸受け位置４６Ａは表示プレート４３の仮止め位置であり、軸受け位置４６Ｂ〜４６Ｅは表示プレート４３の本止め位置となる。即ち、５つの軸受け位置４６Ａ〜４６Ｅのうち、中央に位置する軸受け位置４６Ａに軸部３５がある場合には、表示プレート４３は、２つの軸部３５を回転軸としてスピーカーグリル２と干渉することなく回動可能である。また、軸受け位置４６Ｂ〜４６Ｅに軸部３５がある場合には、表示プレート４３は開口２Ａに嵌め込まれて回動不能となり、固定される。
また、本実施例４では、軸部３５の直径、受け部４６の軸受け位置４６Ａ（軸部が回動可能な位置）における内径及び受け４６の軸受け位置４６Ｂ〜４６Ｅ（軸部が回動不能な位置）における内径は、上記実施例１と同様に、それぞれ約３ｍｍ、約４ｍｍ及び約３．５ｍｍに設定されている。
【００６０】
（２）内装部品への表示プレートの取付構造の作用
次に、上記構成の内装部品への表示プレートの取付構造４１の作用について説明する。
まず、図２０に示すように、表示プレート４３を取付部材４４に取り付ける。このとき、受け部４６の軸受け位置４６Ａにおいて軸部３５を挟持させておく。次に、表示面４３Ａ〜４３Ｄのうちの表示すべき表示面がスピーカーグリル２側に向くように表示プレート４３を回動させる。一例として、表示面４３Ａを表示する場合には、図２１に示すように、表示プレート４３を回動させて、表示面４３Ｂをスピーカーグリル２側に向ける。そして、軸部３５が軸受け位置４６Ｄに位置するように表示プレート４３をスピーカーグリル２側に押し込む（図２２）。すると、表示プレート４３が開口２Ａに嵌め込まれ、スピーカーグリル２の意匠面側に表示面４３Ａが露出する。これにより、スピーカーグリル２の意匠面に表示面４３Ａが表示された状態となる。
【００６１】
（３）実施例の効果
【００６２】
以上より、本実施例４の内装部品への表示プレートの取付構造４１によると、表示プレート４３が４つの表示面４３Ａ〜４３Ｄを有しているので、実施例１及び３の内装部品への表示プレートの取付構造１，３１よりも、より多くの種類の表示を簡易に選択して表示することができる。
【００６３】
また、上記実施例１と同様に、受け部４６が軸受け位置４６Ａ〜４６Ｅにおいて軸部３５を挟持しているので、受け部４６により軸部３５を容易に支持することができる。その結果、より簡易に複数種類の表示を選択して表示することができる。
【００６４】
尚、本発明においては、上記の具体的な実施例１〜４に示すものに限られず、目的、用途に応じて本発明の範囲内で種々変更した実施例とすることができる。即ち、上記実施例１〜４では、内装部品であるスピーカーグリル２とは別体に設けた取付部材４，２４，３４，４４を例示したが、これに限定されず、例えば、取付部材を内装部品と一体に形成するようにしてもよい。
【００６５】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００６６】
本発明は上記で詳述した実施形態に限定されず、本発明の請求項に示した範囲で様々な変形または変更が可能である。
【符号の説明】
【００６７】
１，２１，３１，４１；内装部品への表示プレートの取付構造、２；スピーカーグリル、２Ａ；開口、３，２３，３３，４３；表示プレート、３Ａ，３Ｂ，２３Ａ〜２３Ｄ，３３Ａ，３３Ｂ，４３Ａ〜４３Ｄ；表示面、３Ｃ，３３Ｃ；突状部、４，２４，３４，４４；取付部材、４Ａ，４Ｂ，３４Ａ，３４Ｂ；ロック部、５，３５；軸部、６，３６，４６；受け部、６Ａ，６Ｂ，３６Ａ〜３６Ｃ，４６Ａ〜４６Ｅ；軸受け位置。
【図１】
2011235712.tif 000003
【図２】
2011235712.tif 000004
【図３】
2011235712.tif 000005
【図４】
2011235712.tif 000006
【図５】
2011235712.tif 000007
【図６】
2011235712.tif 000008
【図７】
2011235712.tif 000009
【図８】
2011235712.tif 000010
【図９】
2011235712.tif 000011
【図１０】
2011235712.tif 000012
【図１１】
2011235712.tif 000013
【図１２】
2011235712.tif 000014
【図１３】
2011235712.tif 000015
【図１４】
2011235712.tif 000016
【図１５】
2011235712.tif 000017
【図１６】
2011235712.tif 000018
【図１７】
2011235712.tif 000019
【図１８】
2011235712.tif 000020
【図１９】
2011235712.tif 000021
【図２０】
2011235712.tif 000022
【図２１】
2011235712.tif 000023
【図２２】
2011235712.tif 000024